(57)【要約】      （修正有）【課題】回路構成を単純化し、部品点数をより削減したＡＣ検出回路を提供する。【解決手段】ＡＣ電源１をダイオード５，６により整流してＡＣ検出用信号を生成する。ＡＣ検出用信号をコンデンサ７の一端に供給する。このコンデンサ７の他端を、抵抗８を通じて接地する。抵抗８とコンデンサ７とは分圧回路を構成し、抵抗８の出力電圧を電源検出回路４に供給する。電源検出回路４は、抵抗８に生じる電圧が所定の電圧以上であれば、ＡＣ電源が供給されているものと判断し、ＡＣ電源から生成した直流電源を他の動作回路に対して供給する。【選択図】図１
2014155266.tif 000002
【特許請求の範囲】
【請求項１】
交流電源を受け、
前記受電した交流電源を整流した出力をコンデンサの一端に供給し、
前記コンデンサの他端からは抵抗を通じて接地し、また、前記コンデンサの他端を電源検出回路に対して接続するＡＣ検出回路。
【請求項２】
前記コンデンサは、耐圧が高いコンデンサであるＹコンデンサを用いることを特徴とする請求項１記載のＡＣ検出回路。
【請求項３】
前記コンデンサの容量が調整可能なコンデンサである、または前記抵抗の抵抗値が調整可能な抵抗であることを特徴とする請求項１記載のＡＣ検出回路。
【発明の詳細な説明】
【技術分野】
【０００１】
本開示は、商用電源であるＡＣ電圧が入力されたことを判別するＡＣ検出回路に関するものである。
【背景技術】
【０００２】
特許文献１では、商用交流電源を変圧するトランスと、トランスの２次側電流を整流する整流器と、整流器出力を平滑化するコンデンサとを有する直流電源装置において、トランスにセンタ−タップを設け、このセンタ−タップの出力を検知することにより、ＡＣ電源の供給の検知を行っている。
【０００３】
また、特許文献２では、ＡＣ入力電圧を整流平滑し、任意の直流電圧を生成して出力するＡＣ−ＤＣコンバータのＡＣ検出回路において、ＡＣ検出回路が、ＡＣ入力電圧の分圧電圧と基準電圧とを比較する回路と、比較回路の出力信号を一定時間持続させる保持回路とを備え、ＡＣ入力電圧が基準電圧を下回ったとき、比較回路は出力信号をフォトカプラを通じて送出し、保持回路が、比較回路の出力信号に基づいて、停電信号を一定時間持続して外部に送出することによって、ＡＣ電源の供給の検知を行っている。
【０００４】
特許文献１の構成では、２次側電圧を検出しているため１次整流回路の容量により検出が遅れてしまうという課題がある。
【０００５】
また、特許文献２の構成では、回路部品点数が多かったりコストが高くなるという課題がある。
【先行技術文献】
【特許文献】
【０００６】
【特許文献１】特開平６−１１３４５５号公報
【特許文献２】特開平１１−１５５２８４号公報
【発明の概要】
【発明が解決しようとする課題】
【０００７】
本開示は、部品点数の削減、回路構成の単純化、ＡＣ検出の応答性の改善をしたＡＣ検出回路を提供することを目的とする。
【課題を解決するための手段】
【０００８】
前記従来の課題を解決するために、本発明のＡＣ検出回路はＡＣラインにダイオードを介して１次―２次間にＹコンデンサを接続する。ＡＣ電圧を判断し、入力された電圧に応じて２次側の回路を制御できる構成としている。
【０００９】
本構成によって、Ｙコンデンサが１次―２次間を絶縁し、かつ分圧回路の役割も担うことが特徴となる。
【発明の効果】
【００１０】
本開示にかかるＡＣ検出回路は、部品点数の削減、回路構成の単純化、ＡＣ検出の応答性の改善を行うのに有効である。
【図面の簡単な説明】
【００１１】
【図１】実施の形態にかかるＡＣ検出回路の構成図
【図２】実施の形態にかかるシーケンス回路４の構成図
【図３】従来のＡＣ検出回路の構成図
【発明を実施するための形態】
【００１２】
以下、適宜図面を参照しながら、実施の形態を詳細に説明する。但しただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、出願人は、当業者が本開示を十分に理解するために添付図面および以下の説明を提供するのであって、これらによって特許請求の範囲に記載の主題を限定することを意図するものではない。
【００１４】
以下、図面を参照しながら実施の形態について説明する。
【００１５】
（実施の形態）
図１は、実施の形態にかかるＡＣ検出回路の構成図である。
【００１６】
ＡＣ電源１は、整流回路２を通じて、ＡＣ−ＤＣコンバータ３に供給される。ＡＣ−ＤＣコンバータ３は、シーケンス回路４を動作させるための、直流電圧を供給する。
【００１７】
また、ＡＣ電源１の両端の端子は、それぞれダイオード５、６を通じて、コンデンサ７の一つの端子に接続される。コンデンサ７の他の端子は、抵抗８を通じて接地され、また、シーケンス回路４に入力される。
【００１８】
コンデンサ７は、一次側と二次側を絶縁する。また、コンデンサ７は、かつ、抵抗８とともにＡＣ電源１から供給されるＡＣ電圧の分圧回路を構成する。コンデンサ７は、耐電圧が高い性能を持ったＹコンデンサを用いることができる。Ｙコンデンサは、ＡＣ電圧に重畳したノイズであるコモンモードノイズを低減するため、ＡＣ電圧の一つ端子とフレームグラウンド（Ｆｒａｍｅ  Ｇｒｏｕｎｄ）との間に挿入されるコンデンサである。フレームグラウンドは筐体に接続されることも多く、筐体に人体が触れて感電することがないように、万が一のショートを防ぐため、Ｙコンデンサは特に耐圧の性能が高いものである。本実施の形態では、コンデンサ７としてＹコンデンサを用いることとしている。
【００１９】
ＡＣ電源１をダイオード５、６によって整流した電圧が、コンデンサ７と抵抗８で構成される分圧回路で分圧され、抵抗８の両端の電圧はシーケンス回路４の入力となる。またＡＣ電源１は整流回路２と、ＡＣ−ＤＣコンバータ３を通じて、シーケンス回路４に入力される。シーケンス回路４は、抵抗８に生じる電圧に応じて、ＡＣ−ＤＣコンバータ３から供給される電力を、シーケンス回路４以降に接続される回路等の電源として供給する。このとき、シーケンス回路４以降に接続される回路の動作を保障したい電圧範囲の下限以上となる電圧をＶｏｕｔとしてシーケンス回路４が出力できるように、抵抗８に生じる電圧を設定する。これは、コンデンサ７と抵抗８で構成される分圧回路の定数を設定することにより行える。シーケンス回路４が動作することにより、ＡＣ電源１のＡＣ電圧を検出しることができる。
【００２０】
コンデンサ７が一次側と二次側を絶縁する、かつ、ＡＣ電圧の分圧回路を兼ねるＡＣ検出回路の一部とすることにより、フォトカプラが不要になる。それに伴いフォトカプラの動作に必要な十分な電流を流すための電流増幅回路が不要となる。
【００２１】
コンデンサ７がＡＣ電圧の分圧を兼ねるため、従来、ＡＣ電圧の分圧は高電圧が印加されるため箔間距離確保の目的から複数個の抵抗で構成されていた分圧回路は不要となる。
【００２２】
コンデンサ７と抵抗８とで構成されるＡＣ分圧回路は、コンデンサ７と抵抗８の定数で動作電圧を調整可能となり、部品点数の削減、回路構成の単純化、ＡＣ検出の応答性の改善をすることができる。
【００２３】
図２は、シーケンス回路４の内部構成を示している。
【００２４】
シーケンス回路４は、コンデンサ７と抵抗８とで構成される分圧回路の抵抗８の電圧を、ＦＥＴ１２の入力としている。抵抗８の電圧が所定の電圧以上になれば、ＦＥＴ１２が動作し、その結果ＦＥＴ１３が動作する。そして、シーケンス回路４の出力Ｖｏｕｔが出力される。抵抗８の電圧が所定の電圧よりも小さければ、ＦＥＴ１２、ＦＥＴ１３は動作しないため出力Ｖｏｕｔが供給されない。このようにして、シーケンス回路４の出力ＶｏｕｔのＯＮ／ＯＦＦを切り替えることとしている。
【００２５】
なお、シーケンス回路４は、コンデンサ７を介して伝達される信号の入力先をＦＥＴ１２として、二次側出力ＶｏｕｔのＯＮ／ＯＦＦを切り替えることとしているが、シーケンス回路４は、電源検出用ＬＳＩとしても構わない。そして、コンデンサ７の接続先を、電源検出用のＬＳＩのＡＣ検出端子に接続し、さらに、ＡＣ−ＤＣコンバータ３の出力電圧を電源検出用のＬＳＩに供給し、電源検出用のＬＳＩから後段の回路に電源を供給しても構わない。
【産業上の利用可能性】
【００２６】
本開示は、ＡＣ電圧が入力されたことを判別するＡＣ検出回路に適用である。具体的には、部品点数の削減、回路構成の単純化、応答性の改善が必要となるテレビ等の電源回路に有用である。
【符号の説明】
【００２７】
１  ＡＣ電源
２  整流回路
３  ＡＣ−ＤＣコンバータ
４  シーケンス回路
５、６  ダイオード
７  コンデンサ
８、９  抵抗
１１  コンデンサ
１２、１３  ＦＥＴ
【図１】
2014155266.tif 000003
【図２】
2014155266.tif 000004
【図３】
2014155266.tif 000005